(57)【要約】【課題】この種のギブス支持体は、治療した腕を、確実に支持すること、人への設置が簡便かつ容易であること等が要求されている。従来は、三角巾を使用するという手段がある。しかし、この三角巾は、首で荷重を支えることから、首の痛み、疲労を与えること、僅かな動きでもずれる虞があり、安定性に欠けること、又は白いガーゼタイプの布地を採用することから、汚れ易い等の問題点がある。【構成】本発明は、肩掛けベルトの一方に設けた人体の前に位置するギブス支持用の支持エプロンと、肩掛けベルトの基端に設けた体の腰部を囲繞する固定ベルトで構成したエプロン形ギブス支持体である。首への負担を軽減して快適な使用ができる。また人体の前側において、エプロン感覚での使用を可能とした。【選択図】    図５
2005000360.tif 000002
【特許請求の範囲】
【請求項１】
肩掛けベルトの一方に設けた人体の前に位置するギブス支持用の支持エプロンと、この肩掛けベルトの基端に設けた前記体の腰部を囲繞する固定ベルトで構成したエプロン形ギブス支持体。
【請求項２】
請求項１に記載した支持エプロンの一方隅に、曲面状の腕受け部を形成する構成したエプロン形ギブス支持体。
【請求項３】
請求項１に記載した各肩掛けベルトを、対で構成し、人の両肩に添接する構成したエプロン形ギブス支持体。
【請求項４】
請求項１に記載した固定ベルトの両端に設けた面ファスナーで、当該固定ベルトを着脱自在に構成したエプロン形ギブス支持体。
【発明の詳細な説明】
【０００１】
【発明の属する技術分野】
この発明はエプロン形ギブス（ギプス）支持体に関する。
【０００２】
【従来の技術】
従来、この種のギブス支持体は、ギブス（怪我、骨折した腕、障害者、病弱者等の治療した腕）を、確実に支持すること、人への設置が簡便かつ容易であること等が要求されている。このような要求を比較的簡単に達成できる手段として、俗称、三角巾が使用されてきた。この三角巾は、使用、整理整頓等の面において簡便性があり、洗濯の容易性、又は低コストによる提供が図れること等の特徴がある。しかし、この三角巾は、首で荷重を支えることから、首の痛み、疲労を与えること、僅かな動きでもずれる虞があり、安定性に欠けること、又は白いガーゼタイ  プの布地を採用することから、汚れ易い等の問題点がある。
【０００３】
この問題点の改良と、先行文献とを以下に列挙する。
【０００４】
文献（１）は、実開平５−１３４２４号の腕や手のギプスを懸吊できるベストである。その内容は、ベストは、このベスト本体の左肩部に一端を縫着した帯状体の他端を、右肩部に設けたマジックテープに着脱自在とした構成であって、このベスト本体の他端のマジックテープへの螺合を介して当該帯状体を縣架状態にし、これにギプスを架承することを特徴とし、骨折者は、骨折していない手、すなわち片手で容易にギプスを懸吊できること、又はベストなので、ギプスを袖に通す必要がなく容易に着用、脱衣できること等の特徴がある。
【０００５】
文献（２）は、実用新案登録第３０２０６４２号の腕固定帯である。その内容は、人の胴に巻く幅広の両端に面ファスナーを備えた第１帯と、腕に巻く両端に面ファスナーを備えた第２帯とで構成する腕固定帯であって、この第２帯は、第１帯を胴に巻いたとき、不自由な腕が前よりの脇腹から下腹部を横切って斜め下方に向くように第１帯の外側に交差して取付けられるとともに、第１帯と第２帯は、両端の面ファスナーを介して胴及び腕への着脱が容易になし得る構成であり、骨折した腕、不自由な腕、又は脳卒中等の後遺症で麻痺した腕（骨折とする）を、支持して身体側に固定すること、又は簡単な構造であって、運動性にも優れた腕固定帯の提供を意図する。
【０００６】
【発明が解決しようとする課題】
前記文献（１）は、ベストと一体構造であり、ベストを着用しない場合には、使用できないことから、夏場には困ること、又は子供から大人まで着装するには、形態、寸法、またスタイル等の面で抵抗があること等の課題がある。そして、この考案では、左右の腕を支持することは構造上で不可能であり、汎用性に欠ける。殊に、この考案では、帯状体がクロスする構造であり、腕を支持する帯状体のクロス部位での重なりが少ないので、この腕の両面を、確実に挾持することは不可能であって、支持の不安定性と、骨折等の傷の治癒に障害になり兼ねないこと等の問題点も指摘できる。
【０００７】
前記文献（２）は、腰に設けた第１帯と、この第１帯に斜設した第２帯とで腕を支持する構成である。従って、支持した腕の動きが固定された状態となる。この固定された状態は、安定して、骨折等には適すると思われがちである。しかし、現実は、動きが規制されることから、かえって抵抗を感ずるという状態となり易い。また骨折の程度・治癒の状況又は、人によっては極めて不都合を感ずることが考えられる。そして、図２の一例の如く、腕を斜めに下げた状態では、疲労感、違和感等があり、何となく使用を躊躇することも考えられる。殊に、動きが激しいと考えられる子供には不向きな面が指摘される。さらには腰への負担も若干考えられるので、この面での改良も必要となる。
【０００８】
【課題を解決するための手段】
請求項１の発明は、首への負担を軽減して快適な使用を図ること、人の前側において、エプロン感覚での使用を可能として、前記負担の軽減、安定した腕の支持を図ること、又は体の動き、即ち、首、肩等の動きに追従する構成となるので、使用に抵抗感がなく、また安定した腕の支持を達成すること等を意図する。
【０００９】
またこの請求項１の発明は、両肩にベルトを掛ける構成であり、前述の如く、首への負担軽減・安定性・抵抗感の払拭・ワンタッチでの装着（肩掛け・固定ベルトの装着）を図ることを意図する。そして、この安定性、装着の容易性、首への負担軽減を介して子供より大人までの広い年齢層、又は骨折等の症状の人に違和感、抵抗感なく使用可能とすることを意図する。
【００１０】
請求項１は、肩掛けベルトの一方に設けた人体の前に位置するギブス支持用の支持エプロンと、この肩掛けベルトの基端に設けた前記体の腰部を囲繞する固定ベルトで構成したエプロン形ギブス支持体である。
【００１１】
請求項２の発明は、請求項１の目的を達成するとともに、この請求項１の目的を達成するに最適な腕受け部を提供することを意図する。
【００１２】
請求項２は、請求項１に記載した支持エプロンの一方隅に、曲面状の腕受け部を形成する構成したエプロン形ギブス支持体である。
【００１３】
請求項３の発明は、請求項１の目的を達成するとともに、この請求項１の目的を達成するに最適な肩掛けベルトを提供することを意図する。
【００１４】
請求項３は、請求項１に記載した各肩掛けベルトを、対で構成し、人の両肩に添接する構成したエプロン形ギブス支持体である。
【００１５】
請求項４の発明は、請求項１の目的を達成するとともに、この請求項１の目的を達成するに最適な固定ベルトを提供することを意図する。
【００１６】
請求項４は、請求項１に記載した固定ベルトの両端に設けた面ファスナーで、当該固定  ベルトを着脱自在に構成したエプロン形ギブス支持体である。
【００１７】
【発明の実施の形態】
この発明の使用状態の好ましい一例は、図３の装着過程から、図４〜図６の装着済みの模式図として示されている。図３の如く、肩掛けベルトを平板状態で、首を経由して両肩に添接する。これにより、肩掛けベルトの略中心部が肩に添接されるとともに、調整部材が肩のやや下側に添接されて、このエプロン形ギブス支持体が人体に仮装着される。そこで、支持エプロンを人体の前側に位置する。この状態で固定ベルトの面ファスナーを介して当該固定ベルトを、人体の腹部又は腰部に取付ける。この取付けにより、エプロン形ギブス支持体は、子供、大人又は骨折者等であっても、ワンタッチで、素早く、極めて簡易に人体に取付けられる、そこで、この支持エプロンの一方から他方に向かって骨折した腕を挿入する。この挿入により、図４〜図６の状態が確保される。即ち、骨折した腕の支持が図れる。そして、面ファスナーの長さを利用して、固定ベルトの締付け程度と、確実な装着とを図る。尚、図５、図６の例は、左右の腕を支持した状態であり、この例では、このエプロン形ギブス支持体を裏返して使用することで可能である。また肩掛けベルトの帯幅と、肩を利用して腕等の荷重を支える構造であるので、首を締めつけず、首、人体等の疲労感の軽減、また安定性の向上、肩への負担の軽減等が図れること、また各種の特徴と実益がある。
【００１８】
また取外しは、支持エプロンより腕を抜くとともに、固定ベルトを取外す。その後、肩掛けベルトを、両肩から外しながら、略同時に首より取外す所作によって、ワンタッチで瞬時に行えること、何人も片手で行えること等の特徴がある。そして、取外した後は、支持エプロンに固定ベルト及び肩掛けベルトを、折畳み重ねることで、極めてコンパクトに収容できる特徴があり、携帯にも役立つ特徴がある。そして、エプロン形ギブス支持体の表裏を利用して、左右の腕への使用と、固定ベルト及び肩掛けベルトの長さ調整で、子供から大人までの使用が図れる。また前掛け形態のエプロン形  ギブス支持体であり、従来の使用方法と同様であり、理にかなっていること、違和感なく使用できること、安定性があること等の特徴がある。
【００１９】
【実施例】
以下、本発明の一実施例を説明する。
【００２０】
１はエプロン形ギブス支持体で、両面使用を意図することから、例えば、リバーシブルの布地、他の布地、合成皮革、ビニール生地、メッシュ生地（夏場の使用と、他の場合の冷却効果を図る）、メッシュビニール生地（合成繊維等の生地）等の素材とする。そして、この素材には、例えば、柄、模様、キャラクター、文字、絵文字、宣伝等の図柄を設けて、各人の好みと、使用の目的、表裏の使い分け、又は宣伝効果等を意図する。
【００２１】
このエプロン形ギブス支持体１は、対の肩掛けベルト２、２（２とする）と、この肩掛けベルト２の開放側の一方１００に設けた人体Ｈの前に位置するギブス支持用の支持エプロン３と、この肩掛けベルト２の収斂側の基端１０１に設けた前記体の腰部を囲繞する固定ベルト４とを主構成とする。この支持エプロン３は素材が袋状に形成されており、人体Ｈの腕Ｈ１が収容される。そして、例えば、収容と安定性を考慮して、図６、図７の如く隅１０２を曲面状の腕受け部１０３とする。これによって、腕（肘）の関節部Ｈ２を優しく抱持できる。勿論、図１、図２の如く、隅１０２はストレートの場合もあり得る。また肩掛けベルト２は平面視して、略三角形状として、頭Ｈ３と首Ｈ４が挿入できる空間２００を有する。そして、この肩掛けベルト２の略真中が肩Ｈ５に添接する。さらに固定ベルト４は、肩掛けベルト２の収斂側の基端１０１が設けられるが、この例では、固定ベルト４の２：３の位置関係に設けられており、人体Ｈの偏倚した位置で緊締して、装着の容易化、快適性を確保する。しかし、これは一例であり、固定ベルト４の中心に、肩掛け  ベルト２の収斂側の基端１０１が設けられる場合もあり得る。
【００２２】
図中５、５は固定ベルト４の両端４００、４００に設けられた面ファスナーであり、この面ファスナー５、５（５とする）は、当該固定ベルト４の表裏側にあって、この固定ベルト４の緊締を図る。そして、この固定ベルト４は表裏の何れでも緊締できる。即ち、図５、図６の如く、左右何れの腕Ｈ１でも支持できる構造である。この際に、肩掛けベルト２、支持エプロン３は、それぞれ裏側を使用する。この面ファスナー５の長さを多くとり、当該固定  ベルト４の長さ調整に役立てることも可能である。またこの面ファスナー５に替わり、緊締、パックル等の場合もあり得る。
【００２３】
図中６は肩掛けベルト２の略中間やや下方に設けられたゴム等の調整部材（弾性体）であり、この調整部材６は肩Ｈ５のやや下側に添接されており、この肩掛けベルト２のズレ防止と、長さ調整、又は弾性付与等を図り、また肩Ｈ５への確実なフィットを図る。
【００２４】
尚、肩掛けベルト２、固定ベルト４に、ゴム等の弾性、パックル等を介在して、長さの調整と、適用範囲の拡充、又は快適性の向上等を意図する。
【００２５】
【発明の効果】
請求項１の発明は、肩掛けベルトの一方に設けた人体の前に位置するギブス支持用の支持エプロンと、肩掛けベルトの基端に設けた体の腰部を囲繞する固定ベルトで構成したエプロン形ギブス支持体である。
【００２６】
従って、請求項１は、首への負担を軽減して快適な使用ができること、人の前側において、エプロン感覚での使用を可能として、前記負担の軽減、安定した腕の支持ができること、又は体の動き、即ち、首、肩等の動きに追従する構成となるので、使用に抵抗感がなく、また安定した腕の支持が達成できること等の特徴がある。
【００２７】
またこの請求項１は、両肩にベルトを掛ける構成であり、前述の如く、首への負担軽減、安定性・抵抗感の払拭・ワンタッチでの装着（肩掛け・固定ベルトの装着）が図れる実益がある。そして、この安定性、装着の容易性、首への負担軽減を介して子供より大人までの広い年齢層、又は骨折等の症状の人に違和感、抵抗感なく使用可能となり極めて有益である。
【００２８】
請求項２の発明は、請求項１に記載した支持エプロンの一方隅に、曲面状の腕受け部を形成する構成したエプロン形ギブス支持体である。
【００２９】
従って、請求項２は、請求項１の目的を達成できるとともに、この請求項１の目的を達成するに最適な腕受け部を提供できる特徴がある。
【００３０】
請求項３の発明は、請求項１に記載した各肩掛けベルトを、対で構成し、人の両肩に添接する構成したエプロン形ギブス支持体である。
【００３１】
従って、請求項３は、請求項１の目的を達成できるとともに、この請求項１の目的を達成するに最適な肩掛けベルトを提供できる特徴がある。
【００３２】
請求項４の発明は、請求項１に記載した固定ベルトの両端に設けた面ファスナーで、固定ベルトを着脱自在に構成したエプロン形ギブス支持体である。
【００３３】
従って、請求項４は、請求項１の目的を達成できるとともに、この請求項１の目的を達成するに最適な固定ベルトを提供できる特徴がある。
【図面の簡単な説明】
【図１】エプロン形ギブス支持体の正面図
【図２】エプロン形ギブス支持体の裏面図
【図３】エプロン形ギブス支持体の装着（使用）状態の一例を説明する模式図
【図４】エプロン形ギブス支持体の装着状態の一例を説明する全体の縮尺側面模式図
【図５】エプロン形ギブス支持体に左手を挿入する際の装着状態の一例を説明する模式図
【図６】エプロン形ギブス支持体に右手を挿入する際の装着状態の一例を説明する模式図
【図７】エプロン形ギブス支持体の他の一例を説明する正面図
【図８】従来の三角巾の装着状態の一例を説明する模式図
【符号の説明】
１      エプロン型ギブス支持体
１００    一方
１０１    基端
１０２    隅
１０３    腕受け部
２      肩掛けベルト
２００    空間
３      支持エプロン
４      固定ベルト
４００    両端
５      面ファスナー
６      調整部材
Ｈ      人体
Ｈ１      腕
Ｈ２      関節部
Ｈ３      頭
Ｈ４      首
Ｈ５      肩
【図１】
2005000360.tif 000003
【図２】
2005000360.tif 000004
【図３】
2005000360.tif 000005
【図４】
2005000360.tif 000006
【図５】
2005000360.tif 000007
【図６】
2005000360.tif 000008
【図７】
2005000360.tif 000009
【図８】
2005000360.tif 000010